(57)【要約】【課題】コストアップを抑えつつ作業性を向上させた光源ユニット及びそれを用いた照明器具を提供する。【解決手段】光源ユニット２は、ＬＥＤモジュール２２と、取付部材２１と、カバー２３と、電源装置と、スイッチ装置２６とを備える。取付部材２１は、ＬＥＤモジュール２２が取り付けられる。カバー２３は、少なくとも一部が透光性を有する材料からなり、ＬＥＤモジュール２２を覆うようにして取付部材２１に取り付けられる。電源装置は、取付部材２１に取り付けられ、ＬＥＤモジュール２２に対して電源を供給する。スイッチ装置２６は、電源装置に電気的に接続され、且つカバー２３よりも外側に引き出された導電性の接触子２６４を有し、接触子２６４への接触動作に応じて制御信号を出力する。そして、電源装置は、スイッチ装置２６からの制御信号に従ってＬＥＤモジュール２２の点灯状態を切り替える。【選択図】図１
2016024991.tif 000002
【特許請求の範囲】
【請求項１】
光源と、
前記光源が取り付けられる取付部材と、
少なくとも一部が透光性を有する材料からなり、前記光源を覆うようにして前記取付部材に取り付けられるカバーと、
前記取付部材に取り付けられ、前記光源に対して電源を供給する電源装置と、
前記電源装置に電気的に接続され、且つ前記カバーよりも外側に引き出された導電性の接触部を有し、前記接触部への接触動作に応じて制御信号を出力するスイッチ装置とを備え、
前記電源装置は、前記スイッチ装置からの前記制御信号に従って前記光源の点灯状態を切り替えることを特徴とする光源ユニット。
【請求項２】
前記スイッチ装置は、前記接触部への接触時に検出される信号とノイズとを判別するノイズ判別機能を有していることを特徴とする請求項１記載の光源ユニット。
【請求項３】
前記スイッチ装置は、前記接触部への接触時に検出される信号の入力回数に基づいて前記光源の明るさを調整する明るさ調整機能を有していることを特徴とする請求項１又は２記載の光源ユニット。
【請求項４】
前記スイッチ装置は、前記接触部への接触時に検出される信号が入力されるまでは第１時間が経過する毎に前記信号の検出動作を行い、前記信号が入力されると前記第１時間よりも短い第２時間が経過する毎に前記信号の検出動作を行うことを特徴とする請求項１又は２記載の光源ユニット。
【請求項５】
前記スイッチ装置は、前記接触部への接触時に検出される信号が入力される検出回路を有し、
前記検出回路の入力部分には、外部より入力されるサージ電圧から前記検出回路を構成する電子部品を保護するサージ対策部が設けられていることを特徴とする請求項１〜４の何れか１項に記載の光源ユニット。
【請求項６】
請求項１〜５の何れか１項に記載の光源ユニットと、前記光源ユニットが取り付けられる器具本体とを備えていることを特徴とする照明器具。
【発明の詳細な説明】
【技術分野】
【０００１】
本発明は、一般に、光源ユニット及びそれを用いた照明器具に関し、より詳細には、光源の点灯状態を切替可能な光源ユニット及びそれを用いた照明器具に関する。
【背景技術】
【０００２】
従来、蛍光灯の照明状態を切り替えるためのスイッチ装置が提供されている（例えば特許文献１参照）。特許文献１に記載されたスイッチ装置は、常開型のプルスイッチと、プルスイッチのオン／オフを切り替えるための引き紐とを備える。このスイッチ装置では、引き紐を引く毎に第１の照明状態→第２の照明状態→第３の照明状態→第４の照明状態の順番で、蛍光灯の照明状態が順次切り替えられる。
【０００３】
特許文献１に記載されたスイッチ装置を用いた場合、引き紐を引くことで蛍光灯の照明状態を切り替えることができるものの、引き紐を引く構造であることから、引き紐を引く力に耐えられるような強度が求められており、その分コストアップになっていた。
【０００４】
また従来、プルスイッチの替わりにタッチスイッチを用いた照明器具も提供されている（例えば特許文献２参照）。特許文献２に記載された照明器具は、蛍光ランプに対して点灯電力を供給する点灯装置と、点灯装置に接続されて蛍光ランプの点灯状態を切替制御するタッチスイッチユニットとを備える。タッチスイッチユニットは、器具本体内に取り付けられており、被覆より線からなる操作子が器具本体の上面より引き出され、且つ吊り下げられた状態にある。
【０００５】
この照明器具では、操作子の先端に取り付けられた導電性の接触子に操作者が触れることで、接触子の静電容量が変化する。そして、操作子を介して接触子に電気的に接続されたタッチスイッチユニットが接触子の静電容量の変化を検出すると、点灯装置が蛍光ランプの点灯状態を切り替える。
【先行技術文献】
【特許文献】
【０００６】
【特許文献１】特開平６−３２５８７６号公報
【特許文献２】特開平５−７４２１８号公報
【発明の概要】
【発明が解決しようとする課題】
【０００７】
ところで、上述の特許文献１に示した照明器具は、設置後においてプルスイッチからタッチスイッチへ容易に変更できない構造であることから、タッチスイッチへの変更を希望される場合には、上述の特許文献２に示した照明器具を新たに設置することになる。そのため、コストアップになるとともに作業工数が増加するという問題があった。
【０００８】
本発明は上記問題点に鑑みて為されており、コストアップを抑えつつ作業性を向上させた光源ユニット及びそれを用いた照明器具を提供することを目的とする。
【課題を解決するための手段】
【０００９】
本発明の光源ユニットは、光源と、前記光源が取り付けられる取付部材と、少なくとも一部が透光性を有する材料からなり、前記光源を覆うようにして前記取付部材に取り付けられるカバーと、前記取付部材に取り付けられ、前記光源に対して電源を供給する電源装置と、前記電源装置に電気的に接続され、且つ前記カバーよりも外側に引き出された導電性の接触部を有し、前記接触部への接触動作に応じて制御信号を出力するスイッチ装置とを備え、前記電源装置は、前記スイッチ装置からの前記制御信号に従って前記光源の点灯状態を切り替えることを特徴とする。
【００１０】
本発明の照明器具は、上記の光源ユニットと、前記光源ユニットが取り付けられる器具本体とを備えていることを特徴とする。
【発明の効果】
【００１１】
本発明の構成によれば、コストアップを抑えつつ作業性を向上させた光源ユニット及びそれを用いた照明器具を提供することができるという効果がある。
【図面の簡単な説明】
【００１２】
【図１】本発明の実施形態に係る光源ユニットの分解斜視図である。
【図２】本発明の実施形態に係る照明器具の全体斜視図である。
【図３】本発明の実施形態に係る照明器具において器具本体から光源ユニットを取り外した状態の斜視図である。
【図４】本発明の実施形態に係る光源ユニットの概略ブロック図である。
【図５】本発明の実施形態に係る光源ユニットの要部を示す概略回路図である。
【図６】図６Ａ〜図６Ｄは本発明の実施形態に係る光源ユニットの動作を説明するタイムチャートである。
【図７】本発明の実施形態に係る光源ユニットの動作を説明するフローチャートである。
【図８】本発明の実施形態に係る光源ユニットの動作を説明する別のフローチャートである。
【図９】本発明の実施形態に係る光源ユニットの別の動作を説明するフローチャートである。
【図１０】本発明の実施形態に係る光源ユニットの要部を示す別の概略回路図である。
【図１１】本発明の実施形態に係る光源ユニットのさらに別の動作を説明するフローチャートである。
【図１２】本発明の実施形態に係る光源ユニットのさらに別の動作を説明するフローチャートである。
【図１３】図１３Ａ〜図１３Ｄは本発明の実施形態に係る光源ユニットの別の動作を説明するタイムチャートである。
【図１４】本発明の実施形態に係る光源ユニットの要部を示すさらに別の概略回路図である。
【図１５】本発明の実施形態に係る光源ユニットを用いた概略構成図である。
【図１６】本発明の実施形態に係る光源ユニットの要部を示すさらに別の概略回路図である。
【図１７】図１７Ａ〜図１７Ｄは本発明の実施形態に係る光源ユニットのさらに別の動作を説明するタイムチャートである。
【発明を実施するための形態】
【００１３】
本発明の実施形態に係る光源ユニット２及び照明器具１０について、図面を参照しながら具体的に説明する。但し、以下に説明する構成は、本発明の一例に過ぎず、本発明は下記の実施形態に限定されることなく、この実施形態以外であっても、本発明に係る技術的思想を逸脱しない範囲であれば、設計等に応じて種々の変更が可能である。
【００１４】
なお、以下の説明では特に断りがない限り、図２において上下、前後、左右の各方向を規定する。すなわち、器具本体１の長手方向が前後方向、器具本体１の幅方向（短手方向）が左右方向、器具本体１の高さ方向が上下方向となる。
【００１５】
本実施形態の照明器具１０は、図２及び図３に示すように、光源ユニット２と、器具本体１とを備える。器具本体１は、天井板を通して室内側に露出する吊ボルト（図示せず）に固定され、天井板の下面（天井面）に直付けされる。光源ユニット２は、器具本体１に対して着脱自在に取り付けられる。
【００１６】
器具本体１は、板金に曲げ加工することで長尺且つ上面（天井板との対向面）が開口する扁平な箱形に形成されている。また、器具本体１は、光源ユニット２を収容するための矩形の凹部１１が、下面側（天井板と反対側）で且つ長手方向（前後方向）の全長に亘って設けられている。さらに、器具本体１の左右方向（幅方向）における凹部１１の両側には、凹部１１の開口端縁から延出し、且つ外側に向かって上方へ傾斜する傾斜部１２がそれぞれ設けられている（図２及び図３参照）。
【００１７】
また、凹部１１の底壁部１１１には、電線を通すための孔１１１Ａが前後方向（長手方向）における略中央に設けられている。さらに、底壁部１１１には、吊ボルト（図示せず）を通すための孔１１１Ｂが前後方向における両端寄りの位置にそれぞれ設けられている。なお、底壁部１１１の下面には、外部からの電源線（図示せず）が接続される端子台（図示せず）が取り付けられる。
【００１８】
光源ユニット２は、図１及び図３に示すように、取付部材２１と、複数（例えば、２つ）のＬＥＤモジュール２２と、カバー２３と、カバーエンド２４と、電源装置２５（図４参照）と、スイッチ装置２６とを備える。
【００１９】
ＬＥＤモジュール２２は、前後方向に長い矩形板状に形成されたプリント配線板２２１を有する。プリント配線板２２１は、その下面に複数のＬＥＤ（発光ダイオード）２２２が前後方向（長手方向）に沿って実装されている。また、一方のＬＥＤモジュール２２の後端部には、電源装置２５との間を電気的に接続するためのコネクタ（図示せず）が実装されている。このコネクタには電線（図示せず）が接続されており、電線の端部を電源装置２５に接続することでＬＥＤモジュール２２と電源装置２５とが電気的に接続される。
【００２０】
また、各ＬＥＤモジュール２２において隣接するＬＥＤモジュール２２と対向する端部には、電源供給用のコネクタ（図示せず）がそれぞれ実装されている。そして、両ＬＥＤモジュール２２のコネクタ同士を接続することで、一方のＬＥＤモジュール２２から他方のＬＥＤモジュール２２に点灯電力が中継される。ここに、本実施形態では、ＬＥＤモジュール２２により光源が構成されている。
【００２１】
取付部材２１は、板金に曲げ加工することでＵ字状に形成され、長尺且つ矩形板状に形成された底壁部２１１と、底壁部２１１の左右方向（幅方向）における両端から上向き（底壁部２１１と交差する方向）に突出する一対の側壁部２１２とで構成される。各側壁部２１２の先端（上端）には、外向きに折り曲げることで形成された引掛部２１２１がそれぞれ全長に亘って設けられている。
【００２２】
底壁部２１１の後端部には、ＬＥＤモジュール２２と電源装置２５とを電気的に接続する上記電線を通すための孔（図示せず）が設けられている。なお、上述したＬＥＤモジュール２２は、例えば取付部材２１の底壁部２１１の一部を切り起こすことで形成された爪２１１１により取付部材２１に固定される。
【００２３】
また、取付部材２１は、図１に示すように、長手方向における両端寄りの位置において幅方向の一端側に延びる一対の引掛金具２１４と、幅方向の他端側に配置される一対の引掛ばね（図示せず）とを有している。
【００２４】
カバー２３は、図１〜図３に示すように、第１カバー体２３Ａと第２カバー体２９の２つの部材で構成される。
【００２５】
第１カバー体２３Ａは、拡散性を有する材料（例えば乳白色のアクリル樹脂）により上面が開口する長尺の箱形に形成されている。また、第１カバー体２３Ａは、左右方向（幅方向）において両端側から中央側に近づくほど下側への突出量が大きくなるような凸レンズ形状の曲面部２３１を有している。
【００２６】
曲面部２３１の左右方向における両端部には、互いに並行するように上向きに突出する一対の突壁部２３３がそれぞれ一体に形成されている。また、各突壁部２３３の先端（上端）には、内向きに突出する突起部２３３０が設けられている。さらに、曲面部２３１の左右方向における両端部には、曲面部２３１と連なるように各突壁部２３３の外側まで延出する延出部２３２がそれぞれ一体に形成されている。
【００２７】
そして、第１カバー体２３Ａは、各突壁部２３３の突起部２３３０が、取付部材２１の各側壁部２１２の引掛部２１２１に引っ掛かることにより、ＬＥＤモジュール２２の前方（下方）を覆うように取付部材２１の下面側に取り付けられる。
【００２８】
第２カバー体２９は、第１カバー体２３Ａの曲面部２３１と同一の曲面形状を有する曲面部２９０、曲面部２９０の一端側を塞ぐエンド部２９１、曲面部２９０の他端側の周縁から突出する突出片２９２などが一体に形成されている。また、曲面部２９０の裏面（上面）には、上向きに突出する一対の突壁（図示せず）が曲面部２９０と一体に形成されている。さらに、曲面部２９０の中央部分には、矩形の孔２９００が開口している。なお、本実施形態では、透光性を有しない合成樹脂材料で第２カバー体２９を形成している。
【００２９】
カバーエンド２４は、第１カバー体２３Ａと同じ材料で半円板状に形成され、第１カバー体２３Ａ及び取付部材２１の長手方向（前後方向）における一端に取り付けられる。
【００３０】
電源装置２５は、電源線（図示せず）を介して外部より供給される交流電源を直流電源に変換するＡＣ−ＤＣコンバータを有し、ＡＣ−ＤＣコンバータで生成した直流電源をＬＥＤモジュール２２に供給する。この電源装置２５は、図４に示すように、スイッチ装置２６との間がコネクタ２６６を介して電気的に接続され、スイッチ装置２６に対して電源を供給するとともに、スイッチ装置２６から後述の第１制御信号が入力される。
【００３１】
スイッチ装置２６は、カバー２３よりも外側に引き出され、且つ操作子２６５を介して吊り下げられた導電性の接触子２６４（接触部）を有し、接触子２６４への接触動作に応じて後述の第１制御信号を生成し、電源装置２５に対して出力する。
【００３２】
保持部材２７は、一面（上面）が開口する矩形箱状の合成樹脂成形体からなり、その内部にスイッチ装置２６を収納して保持するように構成される。また、保持部材２７は、台座２８を介して取付部材２１に取り付けられる。台座２８は、矩形板状の主部（図示せず）と、主部の左右方向における両側から上向きに突出する角筒状の一対の突部（図示せず）とが合成樹脂成形体として一体に形成されている。
【００３３】
この台座２８は、取付部材２１の底壁部２１１に設けられた一対の貫通孔２１１０に、一対の突部をそれぞれ嵌め込むことで取付部材２１に取り付けられる。なお、ＬＥＤモジュール２２の端近くに実装された複数個のＬＥＤ２２２は、取付部材２１に取り付けられた台座２８で隠される。
【００３４】
次に、光源ユニット２の組立手順について具体的に説明する。
【００３５】
まず最初に、作業者は、電源装置２５を取付部材２１の底壁部２１１の上面側に取り付け、さらに爪２１１１によりＬＥＤモジュール２２を取付部材２１の底壁部２１１の下面に固定する。その後、作業者は、ＬＥＤモジュール２２のコネクタ（図示せず）から導出する電線を取付部材２１の底壁部２１１に設けた孔に通し、その端部を電源装置２５に接続する。さらに、作業者は、スイッチ装置２６を保持部材２７の内部に収納して保持させる。このとき、作業者は、スイッチ装置２６の操作子２６５を保持部材２７の外に引き出しておく。
【００３６】
次に、作業者は、保持部材２７に台座２８を取り付けた後、保持部材２７の先端側（下端側）を第２カバー体２９の曲面部２９０の孔２９００に、曲面部２９０の裏面側（上側）から挿通させる。さらに、作業者は、保持部材２７及び台座２８を取り付けた第２カバー体２９を第１カバー体２３Ａに取り付ける。
【００３７】
このとき、第２カバー体２９の突出片２９２が、第１カバー体２３Ａの端部（曲面部２３１の端部）の内側に嵌め込まれることにより、第２カバー体２９が第１カバー体２３Ａに取り付けられる。第２カバー体２９が第１カバー体２３Ａに取り付けられた状態では、第２カバー体２９の曲面部２９０と第１カバー体２３Ａの曲面部２３１とが面一になる。なお、第１カバー体２３Ａ及び第２カバー体２９は、接着剤で接着されるのが好ましい。
【００３８】
そして、作業者は、電源装置２５側のコネクタ２６６２とスイッチ装置２６側のコネクタ２６６１とを接続し、両者の間を電気的に接続した後、開口側を上向きにした状態でカバー２３（第１カバー体２３Ａ及び第２カバー体２９）を取付部材２１に組み付ける。このとき、第１カバー体２３Ａの各突壁部２３３にそれぞれ設けた突起部２３３０が、取付部材２１の各側壁部２１２にそれぞれ設けた引掛部２１２１に引っ掛かり、第１カバー体２３Ａが取付部材２１に取り付けられる。
【００３９】
最後に、作業者は、第１カバー体２３Ａの突壁部２３３及び第２カバー体２９の突壁２９３に設けた長孔状の貫通孔（図示せず）に段付きねじ（図示せず）を通し、取付部材２１の側壁部２１２に設けたねじ孔２１２０にねじ込むことでカバー２３をねじ固定する。以上のような手順に従って、光源ユニット２が組み立てられる。
【００４０】
続けて、照明器具１０の施工手順について説明する。まず最初に、作業者は、天井裏に先行配線された電源線（図示せず）を器具本体１の孔１１１Ａに通し、さらに室内側に露出する吊りボルト（図示せず）を孔１１１Ｂに通した後、吊りボルトにナットをねじ込んで器具本体１を固定する。その後、作業者は、電源線の端部を端子台に接続し、さらに端子台と電源装置２５との間を電線により接続する。
【００４１】
最後に、作業者は、器具本体１の一方の側壁部１１２に設けられた一対の挿通孔１１２Ａ（図３参照）にそれぞれ引掛金具２１４の先端を引っ掛けた後、一対の引掛ばね（図示せず）を器具本体１の他方の側壁部１１２に設けられた引掛部（図示せず）に引っ掛ける。この状態から、作業者が、引掛金具２１４を支点として光源ユニット２を持ち上げるように回転させると、引掛ばねが引掛部に引っ掛かったままで元の状態に戻ることにより、引掛ばねのばね力で光源ユニット２が器具本体１に保持される。以上のような手順に従って、照明器具１０が天井に施工される。
【００４２】
図４は光源ユニット２の概略ブロック図、図５は光源ユニット２の要部を示す概略回路図である。本実施形態のスイッチ装置２６は、人体が接触子２６４に接触したか否かを検出する検出方式として自己キャパシタンス方式を採用している。このスイッチ装置２６は、図４に示すように、検出回路２６１と、測定回路２６２と、制御回路２６３と、接触子２６４とを備える。
【００４３】
接触子２６４は、図５に示すように、浮遊容量２６４２を持つ１つの電極２６４１からなり、検出回路２６１に対して電圧信号Ｖ１を出力する。この接触子２６４は、絶縁体で被覆された紐状の操作子２６５（図１参照）の一端に電気的に接続される。そして、操作子２６５の他端に取り付けられたコネクタ２６７２を、検出回路２６１の入力端に取り付けられたコネクタ２６７１に接続することで、接触子２６４が検出回路２６１に電気的に接続される。
【００４４】
検出回路２６１は、図５に示すように、スイッチ２６１１，２６１２，２６１３と、コンパレータ２６１４と、抵抗器２６１５と、コンデンサ２６１６，２６１７とを有する。スイッチ２６１１，２６１２は、電源１００の両極間に直列に接続されており、スイッチ２６１１，２６１２の接続点には、抵抗器２６１５の一端が接続されている。また、抵抗器２６１５の他端は、コンデンサ２６１６，２６１７の一端に接続されている。
【００４５】
コンデンサ２６１６の他端は、電源１００のグランドに接続されており、コンデンサ２６１７の他端は、接触子２６４の電極２６４１に接続されている。また、コンデンサ２６１７の他端は、コンパレータ２６１４の一方の入力端子に接続されるとともに、スイッチ２６１３を介して電源１００のグランドに接続されている。コンパレータ２６１４の他方の入力端子は、電源１０１に接続され、コンパレータ２６１４の出力端子は、測定回路２６２に接続されており、測定回路２６２に対して電圧信号Ｖ２を出力する。
【００４６】
ここに、本実施形態では、電源１００の電圧はＶ１１に設定され、電源１０１の電圧はＶ１２（Ｖ１２＜Ｖ１１）に設定されている（図６Ｃ参照）。
【００４７】
測定回路２６２は、検出回路２６１から電圧信号Ｖ２が入力されると、この電圧信号Ｖ２に基づいて人体が接触子２６４に接触したか否かを判別し、判別結果に応じた第１制御信号Ｓ１を電源装置２５に出力する。また、測定回路２６２は、検出回路２６１から入力される電圧信号Ｖ２がローレベルになってから所定の時間が経過するタイミングで、後述の駆動信号Ｓ３，Ｓ４，Ｓ５を促す第２制御信号Ｓ２を制御回路２６３に出力する。なお、スイッチ装置２６は、コネクタ２６６を介して電源装置２５より電源が供給される。
【００４８】
ここに、第１制御信号Ｓ１としては、ＬＥＤモジュール２２をオン／オフさせる点滅信号（オン／オフ信号）でもよいし、ＬＥＤモジュール２２の調光レベルを設定する調光信号であってもよい。また、点滅信号又は調光信号のプロトコルは、目的に応じて仕様を決定すればよい。
【００４９】
制御回路２６３は、測定回路２６２から第２制御信号Ｓ２が入力されると、この第２制御信号Ｓ２に従って、スイッチ２６１１，２６１２，２６１３をそれぞれオン／オフさせる駆動信号Ｓ３，Ｓ４，Ｓ５を所定のタイミングで検出回路２６１に出力する。なお、上述の測定回路２６２及び制御回路２６３は、例えばマイクロコンピュータ（図示せず）と、マイクロコンピュータを動作させるためのプログラムとで構成するのが好ましい。
【００５０】
ところで、本実施形態のスイッチ装置２６では、人体が接触子２６４に接触したか否かを判別するために、接触子２６４の電極２６４１の浮遊容量２６４２を計測しており、以下、その計測方法について図６Ａ〜図６Ｄを参照しながら具体的に説明する。
【００５１】
まず最初に、スイッチ２６１１をオンにし且つスイッチ２６１２，２６１３をオフにして、コンデンサ２６１６に電荷を貯める（動作１）。このとき、電極２６４１の電圧Ｖ１は電源１００の電圧Ｖ１１まで上昇する（図６Ｃ参照）。その後、スイッチ２６１１，２６１２，２６１３をすべてオフにして、コンデンサ２６１６の電荷を維持させる（動作２）。
【００５２】
続けて、スイッチ２６１２，２６１３を一定の時間オンにする（動作３）。このとき、電極２６４１及びコンデンサ２６１７の電荷がすべて放電されながら、コンデンサ２６１６の電荷の一部が抵抗器２６１５を介して放電される。その後、スイッチ２６１１，２６１２，２６１３をすべてオフにする（動作４）。このとき、コンデンサ２６１６の電荷が電極２６４１とコンデンサ２６１７に移動し、電極２６４１の電圧Ｖ１はＶ１３（Ｖ１３＜Ｖ１１）となる（図６Ｃ参照）。
【００５３】
そして最後に、コンパレータ２６１４において電極２６４１の電圧Ｖ１（＝Ｖ１３）と電源１０１の電圧Ｖ１２とを比較し（動作５）、電極２６４１の電圧Ｖ１が大きいことから、コンパレータ２６１４からハイレベルの電圧信号Ｖ２が出力される（図６Ｄ参照）。
【００５４】
以下同様にして、上述の動作３，４，５を繰り返すことでコンデンサ２６１６の電荷が徐々に少なくなっていき、それに伴って電極２６４１の電圧Ｖ１も徐々に低下する（図６Ｃ参照）。そして、電極２６４１の電圧Ｖ１が電源１０１の電圧Ｖ１２まで低下すると、コンパレータ２６１４からローレベルの電圧信号Ｖ２が出力される（図６Ｄ参照）。
【００５５】
ここで、コンデンサ２６１６に貯められた電荷は、電極２６４１の浮遊容量２６４２が大きくなるほど速い速度で減少する。また、電極２６４１の浮遊容量２６４２は、人体が接触子２６４に接触することで大きくなる。したがって、コンパレータ２６１４からハイレベルの電圧信号Ｖ２が出力される時間は、人体が接触子２６４に接触していないときの時間Ｔ１よりも、人体が接触子２６４に接触しているときの時間Ｔ２の方が短くなる（図６Ｄ参照）。つまり、測定回路２６２では、検出回路２６１から出力されるハイレベルの電圧信号Ｖ２の時間幅により人体が接触子２６４に接触したか否かを判別する。
【００５６】
次に、スイッチ装置２６の動作について、図７及び図８のフローチャートを参照しながら具体的に説明する。なお、本実施形態では、測定回路２６２及び制御回路２６３がマイクロコンピュータと、マイクロコンピュータを動作させるためのプログラムとで構成されており、このマイクロコンピュータはタイマ１〜３を内蔵している。
【００５７】
まず最初に、測定回路２６２は、タイマ１のカウント値ｔ１と検出回路２６１のスイッチ２６１１のオン時間ｔ１１との大小を比較する（ステップＳＴ１）。測定回路２６２は、ｔ１＜ｔ１１であると判断すると（ステップＳＴ１のＹｅｓ）、タイマ１がスタートしているか否かを判別する（ステップＳＴ２）。
【００５８】
そして、測定回路２６２は、タイマ１がスタートしていないと判断すると（ステップＳＴ２のＹｅｓ）、制御回路２６３からの駆動信号Ｓ３により検出回路２６１のスイッチ２６１１をオンにし、且つタイマ１をスタートさせる（ステップＳＴ３）。その後、測定回路２６２は、検出回路２６１から出力される電圧信号Ｖ２を測定する（ステップＳＴ４）。また、測定回路２６２は、タイマ１がスタートしていると判断すると（ステップＳＴ２のＮｏ）、ステップＳＴ４へ移行する。
【００５９】
測定回路２６２は、ｔ１≧ｔ１１であると判断すると（ステップＳＴ１のＮｏ）、タイマ２がスタートしているか否かを判別する（ステップＳＴ５）。そして、測定回路２６２は、タイマ２がスタートしていると判断すると（ステップＳＴ５のＹｅｓ）、ステップＳＴ４で測定した電圧信号Ｖ２がハイレベルか否かを判別する（ステップＳＴ６）。
【００６０】
測定回路２６２は、電圧信号Ｖ２がハイレベルでない、つまりローレベルであると判断すると（ステップＳＴ６のＹｅｓ）、電圧信号Ｖ２がハイレベルである時間ｔ２にタイマ１のカウント値ｔ１を代入し、時間ｔ２を確定させる（ステップＳＴ７）。その後、測定回路２６２は、人体が接触子２６４に接触したか否かを判別する閾値ｔ２１と時間ｔ２との大小を比較する（ステップＳＴ８）。測定回路２６２は、ｔ２＞ｔ２１であると判断すると（ステップＳＴ８のＹｅｓ）、検知カウンタｃ１をクリア（＝０）した後（ステップＳＴ９）、ステップＳＴ４へ移行する。
【００６１】
また、測定回路２６２は、ｔ２≦ｔ２１であると判断すると（ステップＳＴ８のＮｏ）、人体が接触子２６４に接触したとして、電源装置２５に対して第１制御信号Ｓ１を出力し、且つタイマ３をスタートさせる（ステップＳＴ１０）。その後、測定回路２６２は、検知カウンタｃ１を１増加させ（ステップＳＴ１１）、タイマ１，２をリセットした後（ステップＳＴ１２）、ステップＳＴ４へ移行する。ここに、本実施形態では、ＬＥＤモジュール２２の点灯状態が変化した後は、タイマ３による一定時間の間、判別動作を行わないようになっている。
【００６２】
また、測定回路２６２は、電圧信号Ｖ２がハイレベルであると判断すると（ステップＳＴ６のＮｏ）、タイマ１のカウント値ｔ１と予め設定された所定の動作時間ｔ１２との大小を比較する（ステップＳＴ１３）。そして、測定回路２６２は、ｔ１＞ｔ１２であると判断すると（ステップＳＴ１３のＹｅｓ）、タイマ１，２をリセットした後（ステップＳＴ１２）、ステップＳＴ４へ移行する。また、測定回路２６２は、ｔ１≦ｔ１２であると判断すると（ステップＳＴ１３のＮｏ）、ステップＳＴ４へ移行する。
【００６３】
さらに、測定回路２６２は、タイマ２がスタートしていないと判断すると（ステップＳＴ５のＮｏ）、検出回路２６１のスイッチ２６１２，２６１３をオンにし、且つタイマ２をスタートさせる（ステップＳＴ１４）。その後、測定回路２６２は、ステップＳＴ４へ移行する。
【００６４】
測定回路２６２は、図７に示すフローチャートに従って動作した後、図８に示すフローチャートに従って動作する。
【００６５】
まず最初に、測定回路２６２は、検知カウンタｃ１が０か否かを判別する（ステップＳＴ２１）。そして、測定回路２６２は、ｃ１＝０であると判断すると（ステップＳＴ２１のＹｅｓ）、ＬＥＤモジュール２２の点灯状態又は消灯状態を維持し、動作を終了する。また、測定回路２６２は、ｃ１≠０であると判断すると（ステップＳＴ２１のＮｏ）、ＬＥＤモジュール２２が消灯中か否かを判別する（ステップＳＴ２２）。
【００６６】
測定回路２６２は、ＬＥＤモジュール２２が消灯中であると判断すると（ステップＳＴ２２のＹｅｓ）、ＬＥＤモジュール２２を点灯させる第１制御信号Ｓ１を電源装置２５に出力する（ステップＳＴ２３）。また、測定回路２６２は、消灯中でない、つまり点灯中であると判断すると（ステップＳＴ２２のＮｏ）、ＬＥＤモジュール２２を消灯させる第１制御信号Ｓ１を電源装置２５に出力する（ステップＳ２４）。
【００６７】
本実施形態の照明器具１０では、スイッチ装置２６の接触子２６４に触れることでＬＥＤモジュール２２の点灯状態を切り替えることができる構造であり、そのため引き紐を引く構造のように強度が求められることもなく、コストアップを抑えることができる。また、スイッチ装置２６が光源ユニット２に設けられており、従来例のように器具全体を交換するのではなく、光源ユニット２のみを交換すればいいので、従来例に比べて作業性が向上するという利点もある。
【００６８】
ところで、本実施形態のスイッチ装置２６では、浮遊容量を利用した自己キャパシタンス方式を採用しているため、環境によっては不連続なノイズが発生することが想定される。そこで、本実施形態では、ノイズによる誤検出を抑えるために、以下の方法を採用している。
【００６９】
図９はスイッチ装置２６の動作を説明するフローチャートである。
【００７０】
まず最初に、測定回路２６２は、ＬＥＤモジュール２２が消灯中か否かを判別する（ステップＳＴ３１）。そして、測定回路２６２は、ＬＥＤモジュール２２が消灯中であると判断すると（ステップＳＴ３１のＹｅｓ）、検知カウンタｃ１のカウント数をチェックする（ステップＳＴ３２）。
【００７１】
測定回路２６２は、ｃ１＞２００であると判断すると（ステップＳＴ３２のＹｅｓ）、ＬＥＤモジュール２２を点灯させる第１制御信号Ｓ１を電源装置２５に出力する（ステップＳＴ３３）。また、測定回路２６２は、ｃ１≦２００であると判断すると（ステップＳＴ３２のＮｏ）、何もしないでＬＥＤモジュール２２の消灯状態を維持する（ステップＳＴ３５）。
【００７２】
また、測定回路２６２は、ＬＥＤモジュール２２が点灯中であると判断すると（ステップＳＴ３１のＮｏ）、検知カウンタｃ１のカウント数をチェックする（ステップＳＴ３４）。そして、測定回路２６２は、ｃ１≦２００であると判断すると（ステップＳＴ３４のＹｅｓ）、何もしないでＬＥＤモジュール２２の点灯状態を維持する（ステップＳＴ３５）。また、測定回路２６２は、ｃ１＞２００であると判断すると（ステップＳＴ３４のＮｏ）、ＬＥＤモジュール２２を消灯させる第１制御信号Ｓ１を電源装置２５に出力する（ステップＳＴ３６）。
【００７３】
上述のフローチャートによれば、検知カウンタｃ１のカウント数が２００以下では何もしない構成になっており、例えば上述の動作を１ｍｓ間隔で行う場合には、２００ｍｓ以内の信号をノイズと判断し、接触子２６４への接触時に検出される信号と識別している。つまり、測定回路２６２に入力される信号の個数によって、検出すべき信号とノイズとを識別することができる。
【００７４】
また、別の方法として、多数決による方法も有効である。例えば、２００回中１８０回以上信号を検出した場合に接触子２６４に接触したと判断するように構成してもよく、同様に接触子２６４への接触時に検出される信号とノイズとを識別することができる。さらに、２００ｍｓのループの中で１８０回以上信号を検出したら、ノイズでないと判定する方法も有効である。
【００７５】
図１０は、ノイズ判別機能を備えた検出回路２６１の概略回路図である。この検出回路２６１は、スイッチ２６１１，２６１２，２６１３，２６１８と、コンパレータ２６１４と、抵抗器２６１５，２６２０，２６２１，２６２２と、コンデンサ２６１６，２６１７とを有する。
【００７６】
スイッチ２６１１，２６１２は、電源１００の両極間に直列に接続されており、スイッチ２６１１，２６１２の接続点には、抵抗器２６１５の一端が接続されている。また、抵抗器２６１５の他端は、コンデンサ２６１６，２６１７の一端に接続されている。コンデンサ２６１６の他端は、電源１００のグランドに接続されており、コンデンサ２６１７の他端は、接触子２６４の電極２６４１に接続されている。
【００７７】
抵抗器２６２０，２６２１，２６２２は、電源１０１の両極間に直列に接続されている。コンパレータ２６１４の一方の入力端子には、接触子２６４の電極２６４１が接続されるとともに、スイッチ２６１３を介して電源１００のグランドが接続されている。また、コンパレータ２６１４の他方の入力端子には、抵抗器２６２０，２６２１の接続点が接続されている。さらに、抵抗器２６２１，２６２２の接続点には、スイッチ２６１８を介して電源１０１のグランドが接続されている。
【００７８】
この検出回路２６１では、ＬＥＤモジュール２２の消灯中はスイッチ２６１８をオンにしており、これにより抵抗器２６２０，２６２１の接続点の電位、すなわちコンパレータ２６１４に入力される基準電位が低下する。そして、コンパレータ２６１４の基準電位が低下すると、接触子２６４の電極２６４１の電圧Ｖ１との電位差が大きくなり、その結果、コンパレータ２６１４から出力される電圧信号Ｖ２がハイレベルである時間を長くすることができる。そして、ハイレベルである時間が短いノイズと比較することで、接触子２６４への接触時に検出される信号とノイズとを識別することができる。
【００７９】
なお、本例では、スイッチ２６１８をオン／オフさせることで、コンパレータ２６１４の基準電位を変化させているが、コンパレータ２６１４の基準電位を変化させることができれば、他の構成であってもよい。
【００８０】
上述の各実施例では、ＬＥＤモジュール２２を点灯又は消灯させる場合を例に説明したが、接触子２６４への接触時に検出される信号の入力回数に基づいて、ＬＥＤモジュール２２の調光レベルを設定するようにしてもよい。以下、図１１に示すフローチャートを参照しながら具体的に説明する。
【００８１】
まず最初に、測定回路２６２は、ＬＥＤモジュール２２が消灯中か否かを判別する（ステップＳＴ４１）。測定回路２６２は、ＬＥＤモジュール２２が消灯中であると判断すると（ステップＳＴ４１のＹｅｓ）、検知カウンタｃ１のカウント数をチェックする（ステップＳＴ４２）。そして、測定回路２６２は、ｃ１＞２００で且つｃ１＜２０００であると判断すると（ステップＳＴ４２のＹｅｓ及びステップＳＴ４３のＹｅｓ）、（ｃ１／２０）％の調光出力の第１制御信号Ｓ１を電源装置２５に出力する（ステップＳＴ４４）。
【００８２】
また、測定回路２６２は、ｃ１≧２０００であると判断すると（ステップＳＴ４２のＹｅｓ及びステップＳＴ４３のＮｏ）、１００％の調光出力の第１制御信号Ｓ１を電源装置２５に出力する。さらに、測定回路２６２は、ｃ１≦２００であると判断すると（ステップＳＴ４２のＮｏ）、何もしないでＬＥＤモジュール２２の消灯状態を維持する（ステップＳＴ４７）。
【００８３】
また、測定回路２６２は、消灯中でない、つまり点灯中であると判断すると（ステップＳＴ４１のＮｏ）、検知カウンタｃ１のカウント数をチェックする（ステップＳＴ４６）。そして、測定回路２６２は、ｃ１＜２００であると判断すると（ステップＳＴ４６のＹｅｓ）、何もしないでＬＥＤモジュール２２の点灯状態を維持する（ステップＳＴ４７）。また、測定回路２６２は、ｃ１≧２００であると判断すると（ステップＳＴ４６のＮｏ）、ＬＥＤモジュール２２を消灯させる第１制御信号Ｓ１を電源装置２５に出力する（ステップＳＴ４８）。
【００８４】
上述のように、接触子２６４への接触時に検出される信号の入力回数に基づいてＬＥＤモジュール２２の調光レベルを設定することで、ＬＥＤモジュール２２を連続的に調光することができる。また、図示は省略しているが、接触子２６４への接触時に検出される信号の入力回数に基づいてＬＥＤモジュール２２を減光する場合も、同様の手順に従って、ＬＥＤモジュール２２を連続的に減光することができる。
【００８５】
図１２は本実施形態のスイッチ装置２６の別の動作を説明するフローチャートである。なお、図１２中のステップＳＴ５３〜ＳＴ６７（ステップＳＴ６１を除く）については、上述した図７中のステップＳＴ１〜ＳＴ１４と同様であり、これらのステップＳＴ５３〜ＳＴ６７（ステップＳＴ６１を除く）については説明を省略する。
【００８６】
まず最初に、測定回路２６２は、ＬＥＤモジュール２２が消灯中か否かを判別する（ステップＳＴ５１）。測定回路２６２は、ＬＥＤモジュール２２が消灯中であると判断すると（ステップＳＴ５１のＹｅｓ）、減算カウンタｃ２が０か否かを判別する（ステップＳＴ５２）。また、測定回路２６２は、ＬＥＤモジュール２２が消灯中でない、つまり点灯中であると判断すると（ステップＳＴ５１のＮｏ）、ステップ５３へ移行し、図７中のステップＳＴ１〜ＳＴ１４と同じ処理を実行する。
【００８７】
測定回路２６２は、ｃ２＝０であると判断すると（ステップＳＴ５２）、ステップＳＴ５３へ移行し、図７中のステップＳＴ１〜ＳＴ１４と同じ処理を実行する。また、測定回路２６２は、ｃ２≠０であると判断すると（ステップＳＴ５２のＮｏ）、減算カウンタｃ２を１減算させ、ステップＳＴ５６へ移行する。なお、本実施形態では、減算カウンタｃ２の初期値は２００（ステップＳＴ６１参照）であることから、１ｍｓの間隔で上記処理を行った場合、２００ｍｓごとに検出動作を行うことになる。
【００８８】
上述のように、ＬＥＤモジュール２２が消灯している状態において間欠的に検出動作を行うことで、連続的に検出動作を行う場合に比べて電力消費を抑えることができる。
【００８９】
また、図１３Ａ〜図１３Ｄは本実施形態のスイッチ装置２６の別の動作を説明するタイムチャートである。測定回路２６２は、図１３Ｄに示すように、人体が接触子２６４に接触するまでは時間Ｔ５が経過する毎に電圧Ｖ２の測定を行い、人体が接触子２６４に接触した後は、時間Ｔ５よりも短い時間Ｔ６が経過する毎に電圧Ｖ２の測定を行っている。ここに、本実施形態では、時間Ｔ５が第１時間であり、時間Ｔ６が第２時間である。
【００９０】
上述のように、人体が接触子２６４に接触するまでは電圧Ｖ２の測定を間欠的に行うことで、電圧Ｖ２の測定を連続的に行う場合に比べて電力消費を抑えることができる。
【００９１】
ところで、人体が接触子２６４に触れる際には静電気が発生する場合があり、この静電気によって検出回路２６１を構成する電子部品が壊れる可能性がある。そのため、図１４に示すように、検出回路２６１の入力部分に、静電気から上記電子部品を保護するツェナーダイオード２６２３を設けるのが好ましく、これによりロバスト性の高い光源ユニット２及び照明器具１０を提供することができる。ここに、本実施形態では、ツェナーダイオード２６２３によりサージ対策部が構成されている。
【００９２】
図１５は本実施形態の光源ユニット２を用いた概略構成図である。上述の実施例では、器具本体１と光源ユニット２とで構成された照明器具１０を例に説明したが、図１５に示すように、光源ユニット２を室内の壁面３００に直付けする構成であってもよい。このシステムでは、室内に置かれたベッド２００の頭部側の壁面３００に光源ユニット２と、接触子２６４とが並べて取り付けられている。そして、壁面３００に埋め込まれたスイッチ装置２６と接触子２６４との間がコネクタ２６７を介して電気的に接続され、且つスイッチ装置２６と光源ユニット２との間がコネクタ２６６を介して電気的に接続されている。
【００９３】
このシステムによれば、ベッド２００に横たわっている人が接触子２６４に接触することで、上述のように、光源ユニット２を点灯／消灯させたり、光源ユニット２の調光レベルを調整することができる。また、上述のように、接触子２６４を壁面３００に取り付けることで、引き紐を垂らす場合のように引き紐によって室内空間を占有されることがないという利点もある。
【００９４】
なお、本例では、光源ユニット２と接触子２６４とを並べて設けたが、ケーブル長を調整することで別々に設けることも可能である。
【００９５】
ここに、本実施形態では、人体が接触子２６４に接触したか否かを検出する検出方式として自己キャパシタンス方式を採用したが、以下に示す相互キャパシタンス方式を採用することも可能である。
【００９６】
図１６は本実施形態の光源ユニット２の要部を示すさらに別の概略回路図である。
【００９７】
接触子２６４は、２つの電極２６４３，２６４４を有し、電極２６４３，２６４４の間には浮遊容量２６４５が発生する。この浮遊容量２６４５は、人体が接触子２６４に接触していない状態でも発生し、人体が接触子２６４に接触すると浮遊容量２６４５の容量が少なくなる。
【００９８】
検出回路２６１は、図１６に示すように、スイッチ２６１１，２６１２，２６１３と、コンパレータ２６１４と、抵抗器２６１５と、コンデンサ２６１６とを有する。スイッチ２６１１，２６１２は、電源１００の両極間に直列に接続されており、スイッチ２６１１，２６１２の接続点には、抵抗器２６１５の一端が接続されている。また、抵抗器２６１５の他端は、コンデンサ２６１６の一端に接続されるとともに、接触子２６４の電極２６４４に接続されている。さらに、コンデンサ２６１６の他端は、電源１００のグランドに接続されている。
【００９９】
コンパレータ２６１４の一方の入力端子は、接触子２６４の電極２６４３に接続されるとともに、スイッチ２６１３を介して電源１００のグランドに接続されている。また、コンパレータ２６１４の他方の入力端子は、電源１０１に接続され、コンパレータ２６１４の出力端子は、測定回路２６２に接続されており、測定回路２６２に対して電圧信号Ｖ２を出力する。
【０１００】
次に、検出回路２６１の動作について、図１７Ａ〜図１７Ｄを参照しながら説明する。上述した自己キャパシタンス方式と同様に、スイッチ２６１１がオンにされると、接触子２６４の電圧Ｖ１はＶ１１まで上昇する。人体が接触子２６４に接触していない状態では接触子２６４からの放電量は多く、接触子２６４の電圧はＶ１４まで低下する。これに対して、人体が接触子２６４に接触すると、電極２６４３，２６４４間の結合が崩れ、電荷の受け渡し量が減少する。その結果、接触子２６４の放電量も少なくなり、接触子２６４の電圧Ｖ１はＶ１５（Ｖ１５＞Ｖ１４）となる。
【０１０１】
つまり、人体が接触子２６４に接触することで、接触子２６４の放電量が少なくなり、接触子２６４の電位Ｖ１がＶ１２まで低下するまでの時間Ｔ４が、人体が接触子２６４に接触していない場合の時間Ｔ３に比べて長くなる。したがって、この時間差、すなわち検出回路２６１から出力される電圧信号Ｖ２がハイレベルである時間の差によって人体が接触子２６４に接触したか否かを判別することができる。
【０１０２】
以上説明したように、本実施形態の光源ユニット２は、ＬＥＤモジュール２２（光源）と、取付部材２１と、カバー２３と、電源装置２５と、スイッチ装置２６とを備える。取付部材２１は、ＬＥＤモジュール２２が取り付けられる。カバー２３は、少なくとも一部が透光性を有する材料からなり、ＬＥＤモジュール２２を覆うようにして取付部材２１に取り付けられる。電源装置２５は、取付部材２１に取り付けられ、ＬＥＤモジュール２２に対して電源を供給する。スイッチ装置２６は、電源装置２５に電気的に接続され、且つカバー２３よりも外側に引き出された導電性の接触子２６４（接触部）を有し、接触子２６４への接触動作に応じて制御信号を出力する。そして、電源装置２５は、スイッチ装置２６からの制御信号に従ってＬＥＤモジュール２２の点灯状態を切り替える。
【０１０３】
また、本実施形態の光源ユニット２のように、スイッチ装置２６は、接触子２６４への接触時に検出される信号とノイズとを判別するノイズ判別機能を有しているのが好ましい。
【０１０４】
また、本実施形態の光源ユニット２のように、スイッチ装置２６は、接触子２６４への接触時に検出される信号の入力回数に基づいてＬＥＤモジュール２２の明るさを調整する明るさ調整機能を有しているのが好ましい。
【０１０５】
また、本実施形態の光源ユニット２のように、スイッチ装置２６は、接触子２６４への接触時に検出される信号が入力されるまでは時間Ｔ５（第１時間）が経過する毎に信号の検出動作を行うのが好ましい。この場合、スイッチ装置２６は、信号が入力されると時間Ｔ５よりも短い時間Ｔ６（第２時間）が経過する毎に信号の検出動作を行う。
【０１０６】
また、本実施形態の光源ユニット２のように、スイッチ装置２６は、接触子２６４への接触時に検出される信号が入力される検出回路２６１を有するのが好ましい。この検出回路２６１の入力部分には、外部より入力されるサージ電圧から検出回路２６１を構成する電子部品を保護するツェナーダイオード２６２３（サージ対策部）が設けられている。
【０１０７】
本実施形態の照明器具１０は、光源ユニット２と、光源ユニット２が取り付けられる器具本体１とを備えている。
【符号の説明】
【０１０８】
２  光源ユニット
２１  取付部材
２２  ＬＥＤモジュール（光源）
２３  カバー
２５  電源装置
２６  スイッチ装置
２６４  接触子（接触部）
【図１】
2016024991.tif 000003
【図２】
2016024991.tif 000004
【図３】
2016024991.tif 000005
【図４】
2016024991.tif 000006
【図５】
2016024991.tif 000007
【図６】
2016024991.tif 000008
【図７】
2016024991.tif 000009
【図８】
2016024991.tif 000010
【図９】
2016024991.tif 000011
【図１０】
2016024991.tif 000012
【図１１】
2016024991.tif 000013
【図１２】
2016024991.tif 000014
【図１３】
2016024991.tif 000015
【図１４】
2016024991.tif 000016
【図１５】
2016024991.tif 000017
【図１６】
2016024991.tif 000018
【図１７】
2016024991.tif 000019